Podtech/llm-jp-corpus-v4-ja_patent huggingface dataset:
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
式Ｉの単離された化合物：
【化１】
2009502963.tif 000001
Ｉ
（式中、Ｄは重水素であり、各Ｙ２及びＹ３は独立して重水素又は水素から選択され、各水素は独立して任意で重水素に置き換えられ、Ｙ1は重炭素である。）又はその塩、又はプロドラッグ、又はそのプロドラッグの塩、又はその水和物、溶媒和物、又は多形体。
【請求項２】
Ｙ２及びＹ３の両方が独立に重水素である、請求項１に記載の化合物。
【請求項３】
【化２】
2009502963.tif 000002
（式中、水素原子すべて及び炭素原子すべてが天然の同位元素の存在率で存在する）から選ばれる化合物、又はその塩、又はプロドラッグ、又はそのプロドラッグの塩、又はその水和物、溶媒和物、又は多形体。
【請求項４】
前記化合物の塩又はそのプロドラッグの塩が薬学上許容可能な塩である、請求項１〜３のいずれか１項に記載の化合物又はプロドラッグ。
【請求項５】
有効量の請求項１に記載の式Ｉの化合物、又は薬学上許容可能なその塩、プロドラッグ、又は薬学上許容可能な前記プロドラッグの塩、又はその水和物、溶媒和物又は多形体、及び許容可能なキャリアを含む組成物。
【請求項６】
うつ病、強迫強制障害、全般性不安障害、外傷後ストレス、大うつ病、パニック障害、対人恐怖症、月経前症候群、心臓障害、非心臓性胸痛、禁煙又は再喫煙の防止である喫煙中毒、血小板活性化の低下状態、アルコール中毒症及びアルコール依存症、憤怒、拒絶、感受性及び精神又は身体のエネルギーの欠如を含む精神医学症候群、後期黄体期不機嫌症、早漏、老人性認知症、肥満、パーキンソン病、イヌの感情的攻撃、癌細胞の増殖、骨粗しょう症、増殖性の又は炎症性の皮膚疾患のような皮膚の疾患又は障害の治療、又は早すぎる女性のオーガズムの治療に用いられる、請求項５に記載の組成物。
【請求項７】
うつ病の緩和又は予防に用いられる、請求項６に記載の組成物。
【請求項８】
大うつ病の緩和又は予防に用いられる、請求項６に記載の組成物。
【請求項９】
式ＩＩの化合物
【化３】
2009502963.tif 000003
ＩＩ
（式中、Ｄは重水素であり、Ｙ１は重水素であり、各水素は独立して任意で重水素に置き換えられる。）。
【請求項１０】
水素原子すべてが天然の同位元素の存在率で存在する、請求項９に記載の化合物。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
エファビレンツ及び溶解性強化ポリマーを備える組成物であって、全ポリマーに対するエファビレンツの比率が、約５％エファビレンツ：９５％全ポリマーと、約９５％エファビレンツ：５％全ポリマーとの間であり、該エファビレンツが溶解性強化ポリマーなしのコントロール組成物と比較して優れた生体利用性を示す組成物。
【請求項２】
前記エファビレンツが非晶質である請求項１に記載の組成物。
【請求項３】
前記ポリマーを、脂肪族ポリエステル類、炭水化物、カルボキシアルキルセルロース類、アルキルセルロース類、ヒドロキシアルキルセルロース類、ヒドロキシアルキルアルキルセルロース類、ヒドロキシアルキルアルキルセルロース誘導体、ポリアミン類、ポリエチレングリコール、メタクリル酸のポリマー及びコポリマー、Ｎ−ビニルピロリドンのホモポリマー及びコポリマー、ビニルラクタムのホモポリマー及びコポリマー、多糖類、ポリグリコール、ポリビニルエステル、精製／修飾されたセラック、ポリビニルピロリドン並びにこれらの混合物からなる群から選択する請求項１に記載の組成物。
【請求項４】
前記組成物がエファビレンツ及びポリマーの噴霧乾燥粒子からなり、その平均粒径が約０．５μｍ〜５００μｍである請求項１に記載の組成物。
【請求項５】
請求項１の記載の組成物を備える製薬剤形であって、
その剤形が、錠剤、コーティング錠、咀嚼錠、カプセル及びゼラチンカプセルからなる群から選択した固形の経口投与剤形であり、前記エファビレンツが実質的に非晶質である製薬剤形。
【請求項６】
前記非晶質エファビレンツが、結晶エファビレンツを含有するコントロール組成物より少なくとも１．２５倍大きい最大エファビレンツ血漿濃度を与える請求項５に記載の組成物。
【請求項７】
前記非晶質エファビレンツが、結晶エファビレンツを含有するコントロール組成物より少なくとも１．２５倍の被曝（ＡＵＣ０−８）で増加する請求項５に記載の組成物。
【請求項８】
界面活性剤、ｐＨ調節剤、充填剤、錯化剤、可溶化剤、顔料、潤滑剤、流動促進剤、風味剤、可塑剤、味覚マスキング剤、放出改良ポリマー及びその混合物からなる群から選択した一つ以上の成分を更に含む請求項１に記載の組成物。
【請求項９】
前記組成物が、前記エファビレンツ・ポリマー溶融生成物からなるペースト、溶液、スラリー、軟膏または分散の形態である請求項１に記載の組成物。
【請求項１０】
前記エファビレンツ及び前記ポリマーの少なくとも１つが溶融加工可能である請求項１に記載の組成物であって、
前記組成物が、錠剤、コーティング錠、咀嚼錠、カプセルまたはゼラチンカプセルの、固形の経口投与剤形である組成物。
【請求項１１】
全ポリマーに対するエファビレンツの比率が、約５％エファビレンツ：９５％全ポリマーと、約９５％エファビレンツ：５％全ポリマーとの間であるエファビレンツを溶解性強化ポリマーとポリマー用溶媒中で接触させて優れた生体利用性のエファビレンツを含有する混合物を形成し、溶媒を除去してエファビレンツ・ポリマー組成物を形成する工程を備え、前記混合物中のエファビレンツの主要部がほぼ完全に非晶質であるエファビレンツからなる組成物を製造する方法。
【請求項１２】
前記組成物が、一つ以上の薬学的に許容できる成分を更に含み、前記ポリマーを、脂肪族ポリエステル類、カルボキシアルキルセルロース類、炭水化物、アルキルセルロース類、ヒドロキシアルキルセルロース類、ヒドロキシアルキルアルキルセルロース類、ヒドロキシアルキルアルキルセルロース誘導体、ポリエチレングリコール、メタクリル酸のポリマー及びコポリマー、Ｎ−ビニルピロリドンのホモポリマー及びコポリマー、ビニルラクタムのホモポリマー及びコポリマー、多糖類、ポリグリコール、ポリビニルエステル、精製／修飾されたセラック、ポリビニルピロリドン並びにその混合物からなる群から選択する請求項１１に記載の方法。
【請求項１３】
前記混合物がポリマー用の非溶媒を更に含み、前記溶媒及び非溶媒が、約５％溶媒：９５％非溶媒〜約９５％溶媒：５％非溶媒の比率で存在し、前記エファビレンツの優れた生体利用性が、前記ポリマー用の非溶媒なしに形成したエファビレンツ組成物と比較して、速い溶解性、大きな溶解度、またはその両方を示し、前記混合物内のポリマーの濃度が、約１％〜約９０％である請求項１１に記載の方法。
【請求項１４】
前記混合物を噴霧乾燥してエファビレンツからなる粒子を形成することにより前記溶媒を除去する請求項１１に記載の方法。
【請求項１５】
請求項１１に記載の方法により製造した粒子を備える組成物であって、
前記組成物が、カプセル、錠剤、咀嚼錠、顆粒、ビーズ、ゼラチンカプセルまたはペレットの形態である固形の経口投与剤形である組成物。
【請求項１６】
請求項１１に記載の方法により製造し、エファビレンツ及び少なくとも一つの溶解性強化ポリマーの固体分散体を備え、該分散体内のエファビレンツが非晶質であるエファビレンツ組成物。
【請求項１７】
請求項１６に記載のエファビレンツ組成物を被検体に投与することを備える、ＨＩＶ−１の治療用にエファビレンツの被検体への供与するための組成物。
【請求項１８】
ａ．エファビレンツ及び有機材料を溶媒及び／又は溶媒と前記有機材料用の非溶媒との混合物中に備える混合物を用意し、
ｂ．前記混合物を液滴または顆粒のいずれかに分配し、
ｃ．前記溶媒または溶媒及び非溶媒を前記混合物から蒸発して、粒子が、約０．５μｍ〜約５０００μｍの平均大きさで、非晶質エファビレンツからなる粒子含有組成物を形成し、溶媒のみを含有する混合物から製造した粒子よりも少ない結晶形薬物を有することを特徴とする非晶質エファビレンツを備える組成物の製造方法。
【請求項１９】
エファビレンツ及び溶解性強化ポリマー組成物であって、
前記エファビレンツが非晶質であり、前記組成物がエファビレンツ及び溶解性強化ポリマー組成物噴霧乾燥粒子からなり、該組成物が溶解性強化ポリマーなしのコントロール組成物と比較して、
ａ）少なくとも約２５％の初期放出の増加
ｂ）少なくとも約２５％の放出範囲の増加
ｃ）少なくとも約２５％の最大血漿濃度の増加
ｄ）少なくとも約２５％のＡＵＣ０−８の増加の少なくとも１つを示すことを特徴とする組成物。
【請求項２０】
前記溶解性強化ポリマーを、脂肪族ポリエステル類、カルボキシアルキルセルロース類、アルキルセルロース類、ヒドロキシアルキルセルロース類、ヒドロキシアルキルアルキルセルロース類、ヒドロキシアルキルアルキルセルロース誘導体、ポリアミン、ポリエチレングリコール、メタクリル酸ポリマー及びコポリマー、Ｎ−ビニルピロリドンのホモポリマー及びコポリマー、ビニルラクタムのホモポリマー及びコポリマー、多糖類、ポリグリコール、ポリビニルエステル、精製／修飾改良されたセラック及びその混合物からなる群から選択する請求項１９に記載の組成物。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
式ＩＩの単離された化合物：
【化１】
2009502961.tif 000001
ＩＩ
（式中、Ｘ１及びＸ２は同時にフルオロであり、又はＸ１は重水素であり、Ｘ２は水素若しくは重水素から選択され、各Ｙは独立して重水素又は水素から選択され、
前記化合物は以下：
ａ）Ｙ４、
ｂ）Ｙ７、
ｃ）同時にＹ８ａ及びＹ８ｂ、又は
ｄ）同時にＹ９ａ、Ｙ９ｂ及びＹ９ｃの１箇所以上が重水素置換されている。）
又はプロドラッグ、又はそのプロドラッグの塩、又はその水和物、溶媒和物、又は多形体。
【請求項２】
Ｘ１及びＸ２は同時に重水素である、請求項１に記載の化合物又はプロドラッグ、又はそのプロドラッグの塩、又はその水和物、溶媒和物、又は多形体。
【請求項３】
重水素で置換されない水素原子すべては、天然の同位元素の存在度にて存在する、請求項１又は２に記載の化合物。
【請求項４】
有効量の請求項１に記載の化合物、又はプロドラッグ、又はプロドラッグの塩、又はその水和物、溶媒和物又は多形体、及び薬学上許容可能なキャリアを含む組成物。
【請求項５】
勃起不全、安定、不安定及び異型の狭心症、高血圧症、肺高血圧症、慢性閉塞性肺疾患、急性呼吸窮迫症候群、悪性高血圧症、褐色細胞腫、鬱血性心不全、急性腎不全、慢性腎不全、アテローム性硬化症、血管の開放性が低下した状態、末梢血管疾患、血管障害、血小板血症、炎症性疾患、心筋梗塞、卒中、気管支炎、慢性喘息、アレルギー性喘息、アレルギー性鼻炎、緑内障、消化性潰瘍、消化管運動性障害、経皮経管冠動脈又は頚動脈血管形成後、バイパス手術後の移植狭窄、骨粗鬆症、早産陣痛、良性の前立腺肥大、及び刺激性腸症候群、男性のヒト及び動物における勃起不全、並びに女性における女性性的興奮障害、卵子との受精を促進するための精子数の減少、インスリン耐性の低下、濾胞の増殖の刺激から選ばれる疾患又は障害に罹っている又はそれに感受性である対象の治療に用いられる請求項１に記載の化合物、又はプロドラッグ、又はプロドラッグの塩、又はその水和物、溶媒和物又は多形体を含有する剤。
【請求項６】
線維症を含む症状の予防又は治療に用いられる請求項１に記載の化合物、又はプロドラッグ、又はプロドラッグの塩、又はその水和物、溶媒和物又は多形体を含有する剤。
【請求項７】
脊髄損傷を負っている患者における疼痛又は痙縮の緩和に用いられる請求項１に記載の化合物、又はプロドラッグ、又はプロドラッグの塩、又はその水和物、溶媒和物又は多形体を含有する剤。
【請求項８】
勃起不全の緩和又は予防に用いられる、請求項５に記載の剤。
【請求項９】
式ＸＩＩＩａの化合物
【化２】
2009502961.tif 000002
ＸＩＩＩａ
（式中、Ｄは重水素であり、Ｙは重水素であり、各水素原子は任意に重水素によって置き換えられる。）。
【請求項１０】
重水素で置換されない水素原子すべて及び炭素原子すべては、天然の同位元素の存在度にて存在する、請求項９に記載の化合物。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
ベンゾキノン及び溶解性-増強性の重合体を備える組成物であって、前記ベンゾキノンが溶解性-増強性の重合体を伴わない対照(コントロール)組成物と比べて優れた生物学的利用能を表わし、ベンゾキノンにCo(補酵素)Q10が含まれ、ベンゾキノン対合計重合体の比率が、約5%のベンゾキノン:95%の合計重合体から約95%のベンゾキノン:5%の合計重合体までの間である、組成物。
【請求項２】
前記組成物が、ベンゾキノンの重合体(群)との物理的な混合物を備え、物理的な混合物に、成分の単純な配合又は造粒物が含まれ、組成物が噴霧乾燥粒子を備え、粒子がベンゾキノン及び可溶性-増強性の重合体を含み、組成物が溶融-処理可能である、請求項1の組成物。
【請求項３】
重合体が次の群、即ち、脂肪性ポリエステル、糖質、カルボキシアルキルセルロース、アルキルセルロース、ヒドロキシアルキルセルロース、ヒドロキシアルキルアルキルセルロース、ヒドロキシアルキルアルキルセルロースの誘導体、ポリアミン、ポリエチレングリコール、メタクリル酸重合体及び共重合体、N-ビニルピロリドンのホモ-及び共重合体、ビニルラクタムのホモ-及び共重合体、多糖類、ポリグリコール、ポリビニルエステル、精製/修飾のセラック、及びそれらの混合物からなる群より選ばれ、重合体に、酢酸コハク酸ヒドロキシプロピルメチルセルロース(HPMCAS)、フタル酸ヒドロキシプロピルメチルセルロース及びそれらの組合せからなる群より選ばれるヒドロキシアルキルアルキルセルロース誘導体が含まれ、重合体に、ポリビニルピロリドン又はポリビニルピロリドン-コ-酢酸ビニルが含まれる、請求項1の組成物。
【請求項４】
さらに表面活性剤(群)、pH修飾因子(群)、充填材(群)、錯化性薬剤(群)、可溶化剤(群)、顔料(群)、滑剤(群)、流動促進剤(群)、香料薬剤(群)、可塑剤(群)、風味遮蔽性薬剤(群)、遊離-修飾性重合体(群)、及びそれらの混合物からなる群より選ばれる1種又はそれよりも多い原料を備える、請求項1の組成物。
【請求項５】
組成物が経口の、固形-剤形の形態にあり、経口の、固形-剤形が錠剤及びカプセルからなる群より選ばれ、経口、固形-剤形に、被覆錠剤、咀嚼錠、又はゼラチンカプセルが含まれる、請求項1に従う組成物。
【請求項６】
個人的な手当て(パーソナルケア)生成物又は化粧料の生成物、食料又は飲料の生成物であって、請求項1の組成物を備える、生成物。
【請求項７】
組成物が不定形のベンゾキノンを備える、請求項1の組成物。
【請求項８】
組成物が、経口の、固形-剤形の形態において提供され、経口の、固形-剤形の形態に、錠剤、被覆錠剤、咀嚼錠、カプセル又はゼラチンカプセルが含まれる、請求項1に従う組成物。
【請求項９】
組成物が、糊状物、溶液、スラリ、軟膏、又は分散物の形態において提供される、請求項1に従う組成物。
【請求項１０】
ベンゾキノンを備える組成物を調製する方法であって、
ベンゾキノンを溶解性-増強性の重合体と重合体のための溶媒において接触させ、それにより、優れた生物学的利用能のベンゾキノンを含有する混合物を形成する工程を備え、
ベンゾキノンにCoQ10が含まれ、ベンゾキノン対合計重合体の比率が、約5%のベンゾキノン:95%の合計重合体から約95%のベンゾキノン:5%の合計重合体までの間であり、重合体の混合物における濃度が約1%から約90%までである、方法。
【請求項１１】
さらに、ベンゾキノン-重合体の組成物を形成するように、溶媒を除去する工程を備える、請求項10の方法。
【請求項１２】
さらに、1種又はそれよりも多い製薬上許容可能な原料を含む、請求項10の方法。
【請求項１３】
重合体が、脂肪性ポリエステル、カルボキシアルキルセルロース、糖質、アルキルセルロース、ヒドロキシアルキルセルロース、ヒドロキシアルキルアルキルセルロース、ヒドロキシアルキルアルキルセルロース誘導体、ポリアミン、ポリエチレングリコール、メタクリル酸重合体及び共重合体、N-ビニルピロリドンのホモ-及び共重合体、ビニルラクタムのホモ-及び共重合体、多糖類、ポリグリコール、ポリビニルエステル、精製/修飾セラック、及びそれらの混合物からなる群より選ばれ、重合体が、ポリビニルピロリドン、フタル酸ヒドロキシプロピルメチルセルロース、ポリビニルピロリドン-コ-酢酸ビニル及びHPMCASからなる群より選ばれ、重合体にポリビニルピロリドンが含まれ、重合体に、フタル酸ヒドロキシプロピルメチルセルロース又はHPMCASが含まれ、重合体に、架橋結合ポリビニルピロリドン(クロスポビドン)が含まれる、請求項10の方法。
【請求項１４】
混合物が、更に重合体のための非-溶媒を含み、溶媒及び非-溶媒が、約5%の溶媒:95%の非-溶媒から約95%の溶媒:5%の非-溶媒までの比率である、請求項10の方法。
【請求項１５】
優れた生物学的利用能のベンゾキノンが、より一層速い溶解、より一層大きな範囲の溶解、又はその双方を、重合体のための非-溶媒を伴わないベンゾキノン組成物に比べて表わし、優れた生物学的利用能のベンゾキノンが、50%のベンゾキノンの溶解のための時間においての減少を、重合体のための非-溶媒を伴わずに作成されるベンゾキノン組成物に比べて約100%又はそれよりも多く表わす、請求項14の方法。
【請求項１６】
溶媒が、混合物を噴霧乾燥することによって、ベンゾキノンを備える粒子が形成されるように除去され、前記ベンゾキノンの前記混合物における主要部分が不定形であり、ベンゾキノンが前記混合物においてほとんど完全に不定形である、請求項11の方法。
【請求項１７】
請求項16に従って生成される粒子を備える組成物であって、経口の、固形-剤形物であり、カプセル、錠剤、咀嚼錠、顆粒、玉(ビーズ)、ゼラチンカプセル、又は丸剤(ペレット)の形態である、組成物。
【請求項１８】
さらに、少なくとも1種の他の活性原料を備え、他の活性原料が栄養補助上の原料であり、他の活性原料が活性な製薬上の原料である、請求項1に従う組成物。
【請求項１９】
ベンゾキノンを備える組成物であって、請求項10に従い生成される組成物。
【請求項２０】
対象体にベンゾキノンを提供するための方法であって、前記対象体に対し、請求項17の経口の、固形-剤形物で管理する工程を備え、前記剤形物に栄養補助上の生成物が含まれ、前記剤形物に製薬上の生成物が含まれる、方法。
【請求項２１】
前記剤形物がうっ血性心不全を処置するために管理されるか、前記剤形物が冠動脈疾患を処置するために管理される、請求項20の方法。
【請求項２２】
製薬上の組成物であって、ベンゾキノン及び少なくとも1種の製薬上許容可能な賦形剤を備え、ベンゾキノンが噴霧乾燥のベンゾキノンを不定形状態において備え、ベンゾキノンの固形分散物、及び少なくとも1種の可溶性-増強性の重合体を備える組成物であり、前記分散物における前記ベンゾキノンが実質不定形であるか、前記ベンゾキノンが前記分散物においてほとんど完全に不定形であり、前記ベンゾキノンが前記分散物において完全に不定形であり、ベンゾキノンが噴霧乾燥された粒子の形態にある、組成物。
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
薬物の潜在的なイオンチャネル調節特性を予測するための方法であって：
（ａ）細胞において光活性化陽イオンチャネルタンパク質および対象とするイオンチャネルを発現させること；
（ｂ）前記細胞を光に曝露し、前記細胞における第一応答をモニタリングすること；
（ｃ）前記細胞を候補薬物に曝露すること；
（ｄ）前記細胞をさらに光に曝露し、前記細胞における第二応答をモニタリングすること；
（ｅ）第一応答と第二応答との比較に基づいて、前記候補薬物のイオンチャネル調節特性を測定すること、
を含む前記方法。
【請求項２】
前記応答のモニタリングが、前記細胞における蛍光の変化を光学的画像化することを含む、請求項１に記載の方法。
【請求項３】
前記応答のモニタリングが、前記細胞におけるシグナル伝達系をモニタリングすることを含む、請求項１に記載の方法。
【請求項４】
前記シグナル伝達系のモニタリングが、抗体、蛍光性小分子、または遺伝子にコードされた指示薬を用いて行われる、請求項３に記載の方法。
【請求項５】
前記対象とするイオンチャネルに対する前記候補薬物の選択的効果を評価するために実行される、請求項１に記載の方法。
【請求項６】
チャネルスプライスバリアント、チャネルアイソフォーム、ニューロンタイプ毎に発現度合が異なるチャネル、脳の別々の部分毎に発現度合が異なるチャネル、別々の臓器毎に発現度合が異なるチャネル、または時間の経過に伴い発現度合が異なるチャネルに対する、前記薬物の、差異のある効果が評価される、請求項１に記載の方法。
【請求項７】
対象とする前記イオンチャネルが、ＨＥＲＧチャネルである、請求項１に記載の方法。
【請求項８】
前記光活性化陽イオンチャネルタンパク質が、ＣｈＲ２、Ｃｈｏｐ２、ＣｈＲ２−３１０、またはＣｈｏｐ２−３１０である、請求項１に記載の方法。
【請求項９】
前記光活性化陽イオンチャネルタンパク質が、配列番号２または３の配列によってコードされる、請求項１に記載の方法。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
ナイセリア（Neisseria）由来Laz、LipもしくはPan 1の断片及び/または切り詰めであり、かつ哺乳動物脳癌細胞内への、または血液脳関門を越える連結された分子の侵入を促進する単離された輸送ペプチド。
【請求項２】
LazのH.8領域（配列番号24）と少なくとも90%のアミノ酸同一性を有する、請求項1に記載の輸送ペプチド。
【請求項３】
前記ペプチドが配列番号24である、請求項1に記載の輸送ペプチド。
【請求項４】
前記輸送ペプチドが血流における前記ペプチドの半減期を延長し、または最適化するために修飾されている、請求項1に記載の輸送ペプチド。
【請求項５】
Ala-Ala-Glu-Ala-Pro（配列番号25）の少なくとも4つの不完全なリピートまたは完全なリピートからなる領域を含み、かつ全長あたり少なくとも約50%のAAEAP（配列番号25）ペンタペプチドリピートを有する輸送ペプチド。
【請求項６】
前記リピートの領域が同数のAla-Ala-Glu-Ala-Pro（配列番号25）のリピートを含むペプチドと少なくとも約90%同一である、請求項5に記載の輸送ペプチド。
【請求項７】
合成された、請求項5に記載の輸送ペプチド。
【請求項８】
前記輸送ペプチドが血流における前記ペプチドの半減期を延長し、または最適化するために修飾されている、請求項5に記載の輸送ペプチド。
【請求項９】
少なくとも１つの積荷化合物と輸送ペプチドとを含む複合体であって、前記輸送ペプチドは、請求項5に記載のペプチドであり、かつ前記輸送ペプチドは、前記積荷化合物に連結されている複合体。
【請求項１０】
少なくとも１つの積荷化合物と輸送ペプチドとを含む複合体であって、前記輸送ペプチドは、請求項1に記載のペプチドであり、かつ前記輸送ペプチドは、積荷化合物に連結されている複合体。
【請求項１１】
前記積荷化合物がアズリン、プラストシアニン、ルスチシアニン、シュードアズリン、オーラシアニンおよびアズリン様タンパク質からなる群より選択されるクプレドキシンである、請求項10に記載の複合体。
【請求項１２】
前記積荷化合物が緑膿菌（Pseudomonas aeruginosa）由来アズリンである、請求項11に記載の複合体。
【請求項１３】
前記複合体が血流における前記ペプチドの半減期を延長し、または最適化するために修飾されている、請求項10に記載の複合体。
【請求項１４】
クプレドキシンに由来する輸送ペプチドをさらに含む、請求項10に記載の複合体。
【請求項１５】
前記積荷化合物がタンパク質、リポタンパク質、多糖体、核酸、色素、微小粒子、ナノ粒子、毒素および薬物からなる群より選択される、請求項10に記載の複合体。
【請求項１６】
前記積荷化合物がタンパク質であり、かつ前記輸送ペプチドが前記積荷化合物に連結されて融合タンパク質を形成する、請求項10に記載の複合体。
【請求項１７】
前記積荷化合物が毒素である、請求項15に記載の複合体。
【請求項１８】
前記積荷化合物が鬱病、情動障害、慢性痛、てんかん、アルツハイマー病、脳卒中／神経保護、脳および脊髄損傷、脳癌、脳のHIV感染症、種々の運動失調を生じる障害、筋萎縮性側索硬化症（ALS）、ハンチントン病、脳に影響を及ぼす小児期先天性遺伝子エラー、パーキンソン病および多発性硬化症からなる群より選択される状態の治療のための治療薬である、請求項10に記載の複合体。
【請求項１９】
前記積荷化合物が検出可能な物質である、請求項10に記載の複合体。
【請求項２０】
前記検出可能な物質が蛍光定量法、顕微鏡観察、X線CT、MRIおよび超音波からなる群より選択される方法によって検出可能である、請求項19に記載の複合体。
【請求項２１】
薬学的に適切な担体中に請求項10に記載の複合体を含む医薬組成物。
【請求項２２】
前記薬学的に許容される担体が静脈内投与に適している、請求項21に記載の医薬組成物。
【請求項２３】
前記薬学的に許容される担体が脳室内注射または脳内注射に適している、請求項21に記載の医薬組成物。
【請求項２４】
インビトロまたはエキソビボで細胞を請求項10に記載の複合体と接触させることを含む方法。
【請求項２５】
前記細胞が中枢神経系の腫瘍由来である、請求項24に記載の方法。
【請求項２６】
前記細胞が星細胞腫、グリア芽細胞腫、髄膜腫、乏突起細胞腫（oligodentroglioma）、オリゴ星細胞腫、神経膠腫、上衣細胞腫、脊髄腫瘍、神経節細胞神経膠腫、神経細胞腫および髄芽腫からなる群より選択される癌細胞である、請求項24に記載の方法。
【請求項２７】
癌患者を治療するための薬剤の製造のための請求項10に記載の複合体の使用。
【請求項２８】
前記複合体が静脈内、局所的、皮下、筋肉内および腫瘍内からなる群より選択される様式で投与される、請求項27に記載の使用。
【請求項２９】
別の癌治療薬を同時投与することをさらに含む、請求項27に記載の使用。
【請求項３０】
患者に請求項19に記載の複合体を投与することと、前記患者内における積荷化合物の位置を検出することにより前記患者の癌をイメージングするための組成物の製造のための前記複合体の使用。
【請求項３１】
前記積荷化合物がX線造影剤であり、かつ前記積荷化合物の位置がX線CTによって検出される、請求項30に記載の使用。
【請求項３２】
前記積荷化合物が磁気共鳴映像造影剤であり、かつ前記積荷化合物の位置がMRIによって検出される、請求項30に記載の使用。
【請求項３３】
前記積荷化合物が超音波造影剤であり、かつ前記積荷化合物の位置が超音波画像診断によって検出される、請求項30に記載の使用。
【請求項３４】
細胞を請求項19に記載の複合体と接触させることと、前記積荷分子の細胞の位置を検出することにより癌を診断するための組成物の製造のための前記複合体の使用。
【請求項３５】
請求項1に記載の輸送ペプチドを含む試薬を含むキット。
【請求項３６】
薬学的に許容される担体を含む試薬をさらに含む、請求項35に記載のキット。
【請求項３７】
前記試薬の投与のための媒体をさらに含む、請求項35に記載のキット。
【請求項３８】
請求項1に記載の輸送ペプチドをコードする核酸分子。
【請求項３９】
請求項5に記載の輸送ペプチドをコードする核酸分子。
【請求項４０】
請求項10に記載の複合体をコードする核酸分子。
【請求項４１】
脳に関連した状態をもつ患者を治療または診断するための組成物の製造のための請求項1又は5に記載の輸送ペプチド及び少なくとも1つの積荷化合物の使用。
【請求項４２】
クプレドキシンに由来する輸送ペプチドがさらに同時投与される、請求項41に記載の使用。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
密閉容器の内部の雰囲気を制御する方法であって、前記方法は、
（１）（ｉ）呼吸をする生物材料、及び（ｉｉ）生物材料を取り囲む包装雰囲気、を収容する密閉容器を設けるステップと、
（２）第１ＡＣＭ（雰囲気制御部材）と第２ＡＣＭであって、
第１ＡＣＭは１．０よりもずっと大きな第１Ｒ比（二酸化炭素透過量／酸素透過量）を有し、第２ＡＣＭは第１Ｒ比よりもずっと小さな第２Ｒ比を有する第１ＡＣＭと第２ＡＣＭとを提供するステップと、
（３）包装雰囲気を第１ＡＣＭの第１の面に触れさせ、その間に
第１ＡＣＭの反対側の面である第２の面を、該包装雰囲気とは異なる第１の雰囲気に曝露させて、該包装雰囲気を異なる雰囲気に変えるステップと、
（４）下記（ｉ）、
（ｉ）ステップ（３）と同時に、該包装雰囲気を第２ＡＣＭの第１の面に触れさせ、その間に
第２ＡＣＭの反対側の面である第２の面を、（ａ）該包装雰囲気とは異なり、（ｂ）前記第１の雰囲気とは同じであるまたは異なる、第２の雰囲気に曝露させるステップ、または、下記（ｉｉ）、
（ｉｉ）ステップ（３）の後、ステップ（３）からの該異なる雰囲気を第２ＡＣＭの第１の面に触れさせ、その間に第２ＡＣＭの前記反対側の第２の面を、（ａ）該包装雰囲気とは異なり（ｂ）前記第１の雰囲気とは同じであるまたは異なる、第２の雰囲気に曝露させるステップ、
とを有する、方法。
【請求項２】
請求項１に記載の方法であって、
（Ａ）第１及び第２のＡＣＭは（ｉ）前記密閉容器中にあり、（ｉｉ）前記包装雰囲気とは異なる雰囲気が通過する内部チャンバを有する内部アセンブリの一部を形成し、第１及び第２のＡＣＭの外側面が前記包装雰囲気と接触し、第１及び第２のＡＣＭの内側面が該雰囲気と接触する、
または
（Ｂ）第１及び第２のＡＣＭは（ｉ）前記密閉容器外にあり、（ｉｉ）前記密閉容器と流体が流通し、前記包装雰囲気が通過して前記密閉容器に戻る外部チャンバを有する外部アセンブリの一部を形成し、該外部チャンバを通過するとき第１及び第２のＡＣＭの内側面が前記包装雰囲気と接触し、第１及び第２のＡＣＭの外側面が前記包装雰囲気とは異なり該外部チャンバの外側にある雰囲気と接触する、
方法。
【請求項３】
請求項１に記載の方法であって、各ＡＣＭは０．６５ｃｍ２を超える面積を有し、第１のＲ比は少なくとも３．０であり、第２のＲ比は１ないし２．３であり、前記密閉容器は少なくとも４０ｍ３の容積を持つ出荷用容器、涼しい部屋または熟成室である、方法。
【請求項４】
請求項１に記載の方法であって、前記雰囲気が空気または酸素リッチな空気であり、前記密閉容器内の１つまたは複数のセンサから受け取られる情報が、（ｉ）前記雰囲気の成分、及び／または、（ｉｉ）前記雰囲気及び前記包装雰囲気のうち少なくとも１つが少なくとも１つの第１及び第２ＡＣＭの、少なくとも１つの面上を流れる流量、を制御するために用いられる方法。
【請求項５】
請求項２に定義される方法における、前記内部アセンブリまたは外部アセンブリとしての使用に好適な、気体を扱うアセンブリであって、
（１）密閉容積を規定し、かつ内側表面及び外側表面を有するチャンバと、
（２）チャンバの内側表面の一部分である第１内側面と、チャンバの外側表面の一部分である第１外側面とを有する、第１ＡＣＭ（雰囲気制御部材）と、
（３）チャンバの内側表面の一部分である第２内側面と、チャンバの外側表面の一部分である第２外側面とを有する、第２ＡＣＭと、
（４）流入口と、
（５）流出口とを備え、
第１ＡＣＭは第１Ｒ比を有し、第２ＡＣＭは第２Ｒ比を有し、第１Ｒ比及び第２Ｒ比のうちの一方は１．０よりもずっと大きい、大きなＲ比であり、他方のＲ比は該大きなＲ比よりもずっと小さい、小さなＲ比であり、
流入口及び流出口は、ガスを流入口から流出口に向かって流す場合に、同時にまたは引き続いてガスが第１ＡＣＭの内側表面、及び第２ＡＣＭの内側表面の上を通過するように配置されるアセンブリ。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
細胞により生成される（１，３；１，４）−β−Ｄ−グルカンのレベルを変化させる方法であって、該細胞中の（１，３；１，４）−β−Ｄ−グルカンシンターゼのレベルおよび／または活性を変化させるステップを含む、上記方法。
【請求項２】
細胞中の（１，３；１，４）−β−Ｄ−グルカンシンターゼのレベルおよび／または活性を変化させる方法であって、該細胞中の（１，３；１，４）−β−Ｄ−グルカンシンターゼをコードする核酸の発現を変化させるステップを含む、上記方法。
【請求項３】
細胞中の（１，３；１，４）−β−Ｄ−グルカンシンターゼのレベルおよび／または活性を変化させる方法であって、該細胞中のＣｓｌＦ遺伝子またはその機能的ホモログの発現を変化させるステップを含む、上記方法。
【請求項４】
（１，３；１，４）−β−Ｄ−グルカンの生成方法であって、単離された（１，３；１，４）−β−Ｄ−グルカンシンターゼをコードする核酸で細胞を形質転換するステップ、および該細胞に該単離された核酸を発現させるステップを含む、上記方法。
【請求項５】
請求項４に記載の方法により生成された、（１，３；１，４）−β−Ｄ−グルカン。
【請求項６】
以下のもの：
（ｉ）同じ分類群の野生型細胞と比較して変化した（１，３；１，４）−β−Ｄ−グルカンレベル；
（ｉｉ）同じ分類群の野生型細胞と比較して変化した（１，３；１，４）−β−Ｄ−グルカンシンターゼのレベルおよび／もしくは活性；ならびに／または
（ｉｉｉ）同じ分類群の野生型細胞と比較して変化した（１，３；１，４）−β−Ｄ−グルカンシンターゼをコードする核酸の発現
のうち、いずれか１以上を示す細胞。
【請求項７】
請求項６に記載の細胞の１以上を含んでなる、多細胞構造物。
【請求項８】
変化した（１，３；１，４）−β−Ｄ−グルカンレベルを示す穀粒であって、（１，３；１，４）−β−Ｄ−グルカンシンターゼの変化したレベルおよび／もしくは活性、ならびに／または（１，３；１，４）−β−Ｄ−グルカンシンターゼをコードする核酸分子の変化した発現を示す１以上の細胞を含んでなる、上記穀粒。
【請求項９】
以下の単離された核酸分子：
（ｉ）（１，３；１，４）−β−Ｄ−グルカンシンターゼをコードする、単離された核酸分子；
（ｉｉ）配列番号１、配列番号３、配列番号５、配列番号７、配列番号９および配列番号１１のいずれかにより表されるヌクレオチド配列を含む、単離された核酸分子；
（ｉｉｉ）配列番号１、配列番号３、配列番号５、配列番号７、配列番号９および配列番号１１のいずれかにより表されるヌクレオチド配列に対して少なくとも５０％同一なヌクレオチド配列を含む、単離された核酸分子；
（ｉｖ）配列番号２、配列番号４、配列番号６、配列番号８、配列番号１０および配列番号１２のいずれかにより表されるアミノ酸配列をコードするヌクレオチド配列を含む、単離された核酸分子；
（ｖ）ストリンジェントな条件下で（ｉ）〜（ｉｖ）のいずれかに記載の単離された核酸分子にハイブリダイズするヌクレオチド配列を含む、単離された核酸分子；
（ｖｉ）（ｉ）〜（ｖ）のいずれかに記載の単離された核酸分子のヌクレオチド配列の相補体または逆相補体であるヌクレオチド配列を含む、単離された核酸分子；ならびに／または
（ｖｉｉ）（ｉ）〜（ｖｉ）のいずれかに記載の単離された核酸分子のうちのいずれか１つの断片
から成るリストより選択される、単離された核酸分子。
【請求項１０】
請求項９に記載の単離された核酸分子を含む遺伝子構築物またはベクター。
【請求項１１】
請求項９に記載の単離された核酸分子または請求項１０に記載の遺伝子構築物を含んでなる細胞。
【請求項１２】
請求項１１に記載の細胞の１以上を含んでなる、多細胞構造物。
【請求項１３】
以下の単離されたポリペプチド：
（ｉ）（１，３；１，４）−β−Ｄ−グルカンシンターゼをコードするアミノ酸配列を含む、単離されたポリペプチド；
（ｉｉ）配列番号２、配列番号４、配列番号６、配列番号８、配列番号１０および配列番号１２のいずれかにより表されるアミノ酸配列を含む、単離されたポリペプチド；
（ｉｉｉ）配列番号２、配列番号４、配列番号６、配列番号８、配列番号１０および配列番号１２のいずれかにより表されるアミノ酸配列に対して少なくとも５０％の同一性を示すアミノ酸配列を含む、単離されたポリペプチド；
（ｉｖ）配列番号１、配列番号３、配列番号５、配列番号７、配列番号９および配列番号１１のいずれかにより表されるヌクレオチド配列によりコードされるアミノ酸配列を含む、単離されたポリペプチド；ならびに／または
（ｖ）（ｉ）〜（ｉｖ）のいずれか１つに記載の単離されたポリペプチドの断片
から成るリストより選択される、単離されたポリペプチド。
【請求項１４】
請求項１３に記載の単離されたポリペプチドまたはその断片に対して生起された、抗体またはそのエピトープ結合性フラグメント。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
細胞壁、細胞膜および核膜の透過性を向上させる組成物であって、ＧｕＳＣＮ（チオシアン酸グアニジン）、Ｔｒｉｓ−ＨＣＬ、ＥＤＴＡ，ＩＧＥＰＡＬ（オクチルフェノキシポリ（エチレンオキシ）エタノール）、酢酸、メタノール、コール酸ナトリウムおよびデオキシコール酸ナトリウムを含有して成る組成物。
【請求項２】
前記ＧｕＳＣＮが約２．０から３．３Ｍの濃度で存在する請求項１記載の組成物。
【請求項３】
前記Ｔｒｉｓ−ＨＣＬが約１０から１００ｍＭの濃度で存在する請求項１記載の組成物。
【請求項４】
前記Ｔｒｉｓ−ＨＣＬが約７．０から９．０のｐＨで存在する請求項１記載の組成物。
【請求項５】
前記ＥＤＴＡが約５から５０ｍＭの濃度で存在する請求項１記載の組成物。
【請求項６】
前記ＩＧＥＰＡＬが約０．１から２．０パーセントの濃度で存在する請求項１記載の組成物。
【請求項７】
前記酢酸が約１．０から１０パーセントの濃度で存在する請求項１記載の組成物。
【請求項８】
前記メタノールが約２０から５０パーセントの濃度で存在する請求項１記載の組成物。
【請求項９】
前記コール酸ナトリウムが約０．０２から２．５パーセントの濃度で存在する請求項１記載の組成物。
【請求項１０】
前記デオキシコール酸ナトリウムが約０．０２から２．５パーセントの濃度で存在する請求項１記載の組成物。
【請求項１１】
細胞の中の標的を検出する方法であって、
ａ）前記細胞をＧｕＳＣＮ（チオシアン酸グアニジン）、Ｔｒｉｓ−ＨＣＬ、ＥＤＴＡ，ＩＧＥＰＡＬ（オクチルフェノキシポリ（エチレンオキシ）エタノール）、酢酸、メタノール、コール酸ナトリウムおよびデオキシコール酸ナトリウムを含有して成る組成物と接触させることで透過性細胞を生じさせ、
ｂ）前記段階（ａ）の透過性細胞を前記標的との結合に特異的な結合因子と接触させ、そして
ｃ）前記段階（ｂ）の結合因子を検出する、
ことを含んで成る方法。
【請求項１２】
前記標的を核酸、ペプチド核酸、ペプチド、糖蛋白質、脂質、リポ蛋白質、ウイルスおよびプリオンから成る群から選択する請求項１１記載の方法。
【請求項１３】
前記結合因子を核酸、ペプチド核酸、ペプチド、リポ蛋白質、糖蛋白質および脂質から成る群から選択する請求項１１記載の方法。
【請求項１４】
前記結合因子が追加的に検出部分も含有して成る請求項１１記載の方法。
【請求項１５】
前記検出部分を蛍光マーカー、放射性マーカー、色素、コロイド状金属、ビオチン／アビジンおよび西洋ワサビペルオキシダーゼから成る群から選択する請求項１４記載の方法。
【請求項１６】
前記検出を前記結合因子に親和性を示す標識抗体を用いて実施する請求項１１記載の方法。
【請求項１７】
前記ＧｕＳＣＮを約２．０から３．３Ｍの濃度で存在させる請求項１１記載の方法。
【請求項１８】
前記Ｔｒｉｓ−ＨＣＬを約１０から１００ｍＭの濃度で存在させる請求項１１記載の方法。
【請求項１９】
前記Ｔｒｉｓ−ＨＣＬを約７．０から９．０のｐＨで存在させる請求項１１記載の方法。
【請求項２０】
前記ＥＤＴＡを約５から５０ｍＭの濃度で存在させる請求項１１記載の方法。
【請求項２１】
前記ＩＧＥＰＡＬを約０．１から２．０パーセントの濃度で存在させる請求項１１記載の方法。
【請求項２２】
前記酢酸を約１．０から１０パーセントの濃度で存在させる請求項１１記載の方法。
【請求項２３】
前記メタノールを約２０から５０パーセントの濃度で存在させる請求項１１記載の方法。
【請求項２４】
前記コール酸ナトリウムを約０．０２から２．５パーセントの濃度で存在させる請求項１１記載の方法。
【請求項２５】
前記デオキシコール酸ナトリウムを約０．０２から２．５パーセントの濃度で存在させる請求項１１記載の方法。
【請求項２６】
前記標的が微生物であるヒト型結核菌に由来する核酸である請求項１１記載の方法。
【請求項２７】
前記結合因子が微生物であるヒト型結核菌に由来する核酸に相補的なオリゴヌクレオチドである請求項１１記載の方法。
【請求項２８】
追加的に背景を染色することも含んで成る請求項１１記載の方法。
【請求項２９】
前記結合因子がミコバクテリウム属に属する微生物の核酸に相補的なオリゴヌクレオチドである請求項１１記載の方法。
【請求項３０】
前記結合因子が菌・カビの核酸に相補的なオリゴヌクレオチドである請求項１１記載の方法。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
以下の段階を含む、グルコース輸送関連ポリペプチドの発現または活性を調節する候補薬剤を同定する方法：
(a) 表1もしくは表2記載の遺伝子の遺伝子産物であるグルコース輸送関連ポリペプチド、またはそのポリペプチドをコードする核酸を含む試料を提供する段階；
(b) 試料を被験化合物と接触させる段階；
(c) 試料中のグルコース輸送関連ポリペプチドの発現または活性を評価する段階；および
(d) (c)のグルコース輸送関連ポリペプチドの発現または活性を、被験化合物を欠く対照試料中のグルコース輸送関連ポリペプチドの発現または活性と比較する段階であって、グルコース輸送関連ポリペプチドの発現または活性の変化により、被験化合物がグルコース輸送関連ポリペプチドの発現または活性を調節することができる候補薬剤であることが示される、段階。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
食品への適用のための抗菌組成物であって、以下：
(a) 1〜50 wt. %のオクタン酸；
(b) 乳酸、リン酸、アジピン酸、酒石酸、コハク酸、酢酸、プロピオン酸、クエン酸、リンゴ酸、硫酸ナトリム、及びそれらの混合物からなる群より選ばれる、1〜50 wt. %の酸味料；並びに
(c) プロピレングリコールエステル、グリセロールエステル、ポリオキシエチレングリセロールエステル、ポリグリセロールエステル、ソルビタンエステル、ポリオキシエチレンソルビタンエステル、スルホン酸塩、コハク酸ジオクチルナトリウム、乳酸ステアロイル、及びアセチルグリセリド、乳酸グリセリド、クエン酸グリセリド、コハク酸グリセリド又はジアセチル酒石酸グリセリドのような複合エステルからなる群より選ばれる、1〜50 wt.%のカップリング剤、
を含み、当該オクタン酸、酸味料及びカップリング剤としては、GRAS又は食品添加成分が考慮される、前記組成物。
【請求項２】
前記オクタン酸が、オクタン酸のエステル又は塩である、請求項１記載の組成物。
【請求項３】
緩衝剤を更に含む、請求項１記載の組成物。
【請求項４】
前記緩衝剤が、酸味料の共役塩基を含む、請求項３記載の組成物。
【請求項５】
前記緩衝剤が、クエン酸及びクエン酸塩である、請求項３記載の組成物。
【請求項６】
すぐに食べられる肉製品又は鳥製品への適用のための、請求項１〜５のいずれか１項記載の抗菌組成物であって、7〜50 wt.%の緩衝剤を更に含み、前記オクタン酸、酸味料、緩衝剤及びカップリング剤としては、GRAS又は食品添加成分が考慮され、そして、当該組成物は、食品が包装され、抗菌組成物を活性化する活性化エネルギーに曝露された後に、食品上に残るのに適合する、前記組成物。
【請求項７】
食品への適用のための、請求項１〜５のいずれか１項記載の抗菌組成物の使用。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
Ｔ６９Ｅ、Ｓ７０ＥおよびＳ８７Ｅ突然変異を有するＢｃｌ−２をコードする遺伝子を含むアポトーシス阻害剤をトランスフェクトし、無血清培地中で増殖成長するように適応させた哺乳動物細胞株。
【請求項２】
関心対象のタンパク質および選択可能なマーカータンパク質をコードするプラスミドを無血清培地中でさらにトランスフェクトした、請求項１の細胞株。
【請求項３】
前記遺伝子は配列番号３の核酸配列を含む、請求項１の細胞株。
【請求項４】
プラスミドが抗体、ヒト化抗体、キメラ抗体、ヒト抗体、二重特異性抗体、多重特異性抗体、多価抗体またはそのフラグメントをコードする、請求項２の細胞株。
【請求項５】
アポトーシス阻害剤をトランスフェクトした細胞株からのタンパク質生産量が、親細胞株で観察される量の２倍である、請求項２の細胞株。
【請求項６】
細胞株が、Ｓｐ２／０、Ｓｐ２／０派生細胞株、ＮＳＯまたはＹＢ２／０からなる群より選択される骨髄腫細胞株である、請求項２の細胞株。
【請求項７】
請求項２に記載の細胞株によって生産されるタンパク質。
【請求項８】
タンパク質が、抗体、ヒト化抗体、キメラ抗体、ヒト抗体、二重特異性抗体、多重特異性抗体、多価抗体またはそのフラグメントである、請求項７のタンパク質。
【請求項９】
タンパク質が成長因子、ホルモン、インターロイキン、インターフェロン、サイトカインまたは酵素である、請求項７のタンパク質。
【請求項１０】
タンパク質が、ＥＰＯ、Ｇ−ＣＳＦ、ＧＭ−ＣＳＦ、ＥＧＦ、ＶＥＧＦ、トロンボポエチン、ＩＬ−１〜ＩＬ−３１、インターフェロン−α、インターフェロン−βおよびインターフェロン−γからなる群より選択される、請求項９のタンパク質。
【請求項１１】
ａ）アポトーシス阻害剤をトランスフェクトした細胞株であって、無血清培地中で増殖成長するように適応させた細胞株を取得するステップと、ここで、前記アポトーシス阻害剤はＴ６９Ｅ、Ｓ７０ＥおよびＳ８７Ｅ突然変異を有するＢｃｌ−２をコードする遺伝子を含み、
ｂ）アポトーシス阻害剤をトランスフェクトした前記細胞株を貯蔵のために凍結するステップと、
ｃ）生産されるべき一つ以上のタンパク質をコードする一つ以上の発現ベクターをトランスフェクトする前に、前記凍結細胞株を融解するステップと、
ｄ）前記細胞株に一つ以上の発現ベクターを無血清条件下でトランスフェクトするステップと、
ｅ）前記細胞株を無血清培地中で培養することにより、前記一つ以上の発現ベクターから一つ以上のタンパク質を生産するステップと
を含む、タンパク質生産の方法。
【請求項１２】
前記遺伝子は配列番号３の核酸配列を含む、請求項１１の方法。
【請求項１３】
発現ベクターが抗体、ヒト化抗体、キメラ抗体、ヒト抗体、二重特異性抗体、多重特異性抗体、多価抗体またはそのフラグメントをコードする、請求項１１の方法。
【請求項１４】
前記細胞株が骨髄腫細胞株である、請求項１１の方法。
【請求項１５】
骨髄腫細胞株がＳｐ２／０もしくはその派生細胞株、マウスＮＳＯまたはラットＹＢ２／０細胞株である、請求項１４の方法。
【請求項１６】
少なくとも一つのカスパーゼ阻害剤を含む培地中で細胞株を増殖成長させることをさらに含む、請求項１１の方法。
【請求項１７】
前記カスパーゼ阻害剤が、カスパーゼ−１阻害剤、カスパーゼ−３阻害剤、カスパーゼ−９阻害剤、カスパーゼ−１２阻害剤および汎カスパーゼ阻害剤からなる群より選択される、請求項１６の方法。
【請求項１８】
エリスロポエチンを含む培地中で細胞株を増殖成長させることをさらに含む、請求項１１の方法。
【請求項１９】
カスパーゼ阻害剤が、Ｚ−ＶＡＤ−ｆｍｋ、Ａｃ−ＤＥＶＤ−ｃｈｏ（配列番号７）、ＡｖｅｎおよびＸＩＡＰからなる群より選択される、請求項１７の方法。
【請求項２０】
非トランスフェクト細胞がＳｐ２／０であり、アポトーシス阻害剤がＢｃｌ−ＥＥＥであり、発現ベクターがプラスミドｐｄＨＬ２を含み、Ｂｃｌ−ＥＥＥおよび発現ベクターをトランスフェクトした細胞株が、バイオリアクター中でタンパク質を生産するために選択され、増殖される、請求項１１の方法。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
高タバコ溶質の溶液を装置内で形成する方法であって、前記方法は、
ｉ）タバコを含有する第１の容器に抽出溶媒を流入させることによってタバコからタバコ溶質を抽出して、タバコとタバコ溶質含有抽出溶媒との混合物を形成する段階と、
ｉｉ）捕捉溶媒を含有する第２の容器に前記タバコ溶質含有抽出溶媒を流入させることによって、前記抽出溶媒から前記タバコ溶質を取り出す段階と、
を含み、
前記タバコ溶質は、ニコチンと少なくとも１つのタバコ香味化合物又は少なくとも１つの芳香化合物とを含み、前記捕捉溶媒は、プロピレングリコール、トリアセチン、グリセリン、及びこれらの混合物から成るグループから選択される、
ことを特徴とする方法。
【請求項２】
前記抽出溶媒が超臨界流体を含み、該超臨界流体は、段階ｉ）及びｉｉ）中に超臨界状態で維持される、
ことを特徴とする請求項１に記載の方法。
【請求項３】
ニコチン及び前記少なくとも１つのタバコ香味化合物又は前記少なくとも１つのタバコ芳香化合物は、タバコから同時に抽出される、
ことを特徴とする請求項１に記載の方法。
【請求項４】
前記タバコ中の溶質の少なくとも５０重量％又は少なくとも８０重量％が前記タバコから抽出される、
ことを特徴とする請求項１に記載の方法。
【請求項５】
前記超臨界流体は二酸化炭素を含む、
ことを特徴とする請求項２に記載の方法。
【請求項６】
前記超臨界流体は更に、水、エタノール、メタノール、アセトン、プロパン、２−プロパノール、クロロホルム、１，１，１−トリクロールエタン、２，２，２−トリフルオロエタノール、トリエチルアミン、１，２−ジブロモエタン、及びこれらの混合物から成るグループから選択された共溶媒を含む、
ことを特徴とする請求項２に記載の方法。
【請求項７】
前記捕捉溶媒は、本質的にプロピレングリコールから成る、
ことを特徴とする請求項１に記載の方法。
【請求項８】
請求項１に記載の方法に従って作られた高タバコ溶質の溶液を含むシガレット。
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
平均で少なくとも68％のオレイン酸（C18：1）、および3％未満のリノレン酸（C18：3）を有する黄色外皮の種子を産生するキャノーラ植物。
【請求項２】
種子が、NIRによって測定した場合に乾物ベースで11％より低い酸性デタージェント繊維を有する、請求項1記載の植物。
【請求項３】
種子が少なくとも43％の油を含む、請求項1記載の植物。
【請求項４】
種子が少なくとも45％のタンパク質を含む、請求項1記載の植物。
【請求項５】
種子が、NIRを用いて測定した、乾物ベースで少なくとも43％の油および少なくとも45％のタンパク質を含む、請求項1記載の植物。
【請求項６】
1ヘクタールあたり平均で少なくとも1700 kgの種子を産出する、請求項1記載の植物の圃場。
【請求項７】
請求項1記載のキャノーラ植物によって産生された種子。
【請求項８】
請求項2記載の種子から生長した植物。
【請求項９】
平均で少なくとも68％のオレイン酸（C18：1）および3％未満のリノレン酸（C18：3）を有する黄色外皮種子を産生する、請求項8記載の子孫植物。
【請求項１０】
PTA-6806およびPTA-6807から選択されるATCC寄託番号において入手可能である、請求項1記載のキャノーラ植物によって産生された種子。
【請求項１１】
請求項7記載の種子のミールを含む動物飼料。
【請求項１２】
遺伝子操作および変異誘発を行わずに産生された、請求項1記載の植物。
【請求項１３】
請求項1記載の種子から産生されたキャノーラミール。
【請求項１４】
少なくとも2400の真の平均代謝エネルギーを有する、請求項13記載のミール。
【請求項１５】
表21において示されるアミノ酸消化率プロフィールを有する、請求項13記載のミール。
【請求項１６】
種子が低減された抗栄養成分を有する、請求項1記載の植物。
【請求項１７】
種子が、1.3％未満のフィチン酸含量、2％未満の酸性デタージェントリグニン含量、および17％未満の中性デタージェント繊維含量を有する、請求項16記載の植物。
【請求項１８】
47％〜54.7％のタンパク質を含む、請求項13記載のキャノーラミール。
【請求項１９】
43.6％〜48％のタンパク質を含む、請求項13記載のキャノーラミール。
【請求項２０】
46.4％〜52.8％のタンパク質を含む、請求項13記載のキャノーラミール。
【請求項２１】
47％〜50.3％のタンパク質を含む、請求項13記載のキャノーラミール。